(57)【要約】【課題】植林中に竹が繁茂し、植樹樹木が委縮するのを防止する。また放置竹林から地下茎及び竹の子が伸び果樹園や畑等の他の土地に竹が攻めて来るのを防止する。【解決手段】親竹を切り、芯を抜いて、その上から非選択性除草剤を配合して調整した浸透性除竹剤を注入し、地下茎に除竹剤を移送することにより、竹の子の発生を抑制するようにした竹又は竹林の処分方法。また、それに用いる除竹剤。【選択図】　　　図１
2004033158.tif 000002
【特許請求の範囲】
【請求項１】
親竹を地上で切り、切った竹の上方からその地下茎に向けて芯を抜き、上方から竹を枯死可能の浸透性除竹剤を注入し、切った竹の上方に適宜雨水侵入防止用のカバーを掛け、前記地下茎に前記除竹剤を送り、前記地下茎を通じて生じる竹の子の発生を抑制することを特徴とする竹又は竹林の永久的処分方法。
【請求項２】
請求項１に記載の除竹剤は、非選択性除草剤たる、イソプロピルアミン塩やクリホサートアンキニューム塩、ビアラホス、Ｌ２アミノ４ヒドロキシメチルホスフィノイルブチリルＬアラニルＬアラニンのナリトウム塩の内から選ばれた又は複数の薬剤に界面活性剤を加えて構成されることを特徴とする竹又は竹林の永久的処分方法に用いる除竹剤。
【請求項３】
植樹された林中の竹を永久的に処分する方法であって、前記林中の親竹を地上で切り、切った竹の上方からその地下茎に向けて芯を抜き、上方から竹を枯死可能の浸透性除竹剤を注入し、切った竹の上方に雨水侵入防止用のカバーを掛け、前記地下茎に前記除竹剤を送り、前記地下茎を通じて前記林中に竹の子が発生するのを抑制することを特徴とする竹又は竹林の永久的処分方法。
【請求項４】
植樹された林や果樹園に隣接竹林から竹の子が生えてくるのを防止する竹又は竹林の永久的処分方法であって、前記竹林の直近隣接区間に生えた親竹を地上で切り、切った竹の上方からその地下茎に向けて芯を抜き、上方から竹を枯死可能の浸透性除竹剤を注入し、切った竹の上方に雨水侵入防止用のカバーを掛け、前記地下茎に前記除竹剤を送り、前記地下茎を通じて前記林や果樹園に竹の子が発生するのを抑制することを特徴とする竹又は竹林の永久的処分方法。
【発明の詳細な説明】
【０００１】
【発明の属する技術分野】
本発明は、不用に生えた竹を駆除するのみならず、以後の竹の子の発生を抑制し、不用な竹又は竹林を永久的に処分することができる竹又は竹林の永久的処分方法に関する。
【０００２】
【従来の技術】
イネ科タケ亜科の多年生常緑木である孟宗竹、淡竹、真竹等の竹は、地下茎を介して竹の子（筍）を発生し、毎年々々ねずみ算的に繁茂する勢いの良い植物である。これら竹は、地上茎が直線状で破竹し易く、軽く、竿や細工品等に広く利用されてきた。また、春には多くの竹の子を発生し、重要な春の旬の食物として重宝されてきた。これら、重宝な竹は、全国各農家の土地の１部に植えられ、必要に応じ竹を切り出し、又竹の子を採取する形で栽培されて来た。
【０００３】
ところが、近年、我が国の工業化に伴なって、竿や竹細工品が不用のものとなり、かつ価格低迷し、竹林不用となって放置されている。ただ竹の子のみは必要品として１部の農家において栽培されている。かかる状勢下において、竹林所有者が高齢化し、管理できず、放置された竹林が各所に散見される所である。竹林所有者が都会に出て、管理不行き届きとなり、放置している場合が多々有る。
【０００４】
竹林を放置すると、地下茎が伸び隣接する植林、果樹園、その他畑等に入り込み、そこで繁茂し、他の植物の成長を阻害する。例えば、植林中に生えた竹の子を放置すると、竹の子は１年で１０ｍ級の親竹となり、親竹は竹の子を作り、猛威を振って植林を竹林に変化させてしまう。従って、これら隣の植林、果樹園、畑等の持ち主は、毎年、毎年隣から入り込んで来る竹の子を成敗せねばならず大変である。境界に１ｍ以上の深い溝を切り、費用をかけてコンクリート製の仕切り壁を設けた例もある。山間地帯では実施不能の技である。
【０００５】
従来の竹林の処分方法としては、竹を切り、翌年生える竹を切ることを竹の子が生えなくなるまで数年繰り返すことが行なわれてきた。しかし、隣接する竹林に対しては、永久的に竹の子を駆除しなければならず、大変である。
【０００６】
また、立っている竹の横方向に小さな穴を１つ明け、その穴から除草剤の濃厚液を注入し、その竹を枯死させることも行なわれている。しかし、この方法では、その竹を立ったままで枯死させることしかできず、結局、竹の子が発生する。竹林の処分方法としては、何等の対策となっていない。そもそも、山間地の竹そのものを立木のままで枯死させる必要は無く、伐採すれば良いのである。このときの伐採の手間は、竹に穴を明け、除草剤を注入する手間より容易な位である。
【０００７】
以上において、杉や桧の植林中に竹が発生した場合、その植林中の竹を永久的に処分する対策が望まれている。また、隣の竹林から地下茎が侵入し竹の子が発生するのを永久的に処分する対策が望まれている。さらに、不用となった竹林を永久的に処分する対策が望まれている。
【０００８】
【発明が解決しようとする課題】
本発明は、容易な１回の処理により、竹林中の竹を永久的に処分することを目的とする。
【０００９】
また、同一処理により、隣の竹林から地下茎が侵入し、竹の子が発生するのを永久的に処分することを目的とする。
【００１０】
さらに、同一処理により、不用となった竹林を永久的に処分することを目的とする。
【００１１】
【課題を解決するための手段】
上記課題を解決することのできる本発明の竹又は竹林を永久的に処分する方法は、親竹を地上で切り、切った竹の上方からその地下茎に向けて芯を抜き、上方から竹を枯死可能の浸透性除竹剤を注入し、切った竹の上方に適宜雨水侵入防止用のカバーを掛け、前記地下茎に前記除竹剤を送り、前記地下茎を通じて生じる竹の子の発生を抑制することを特徴とする。
【００１２】
親竹は、地上１０〜２０ｃｍの高さで、節に接近してその上方で切るのが好ましい。切断作業において竹が割れ、その部分から除竹剤が洩れるのを防止するためである。切断は、金鋸や柄鎌等適宜道具を用いて容易に行うことができる。
【００１３】
時期は、竹内の水分又は栄養の移行が行なわれる時であり、日本の気候において平均的に考えると、８月下旬から１１月下旬が好ましい。北海道なら８月上旬〜１０月中旬が好ましく、沖縄では、８月下旬から１２月上旬まで実施可能である。これ以外の時期に実施すると竹の子の発生抑制率は７０〜８０％に低下する。
【００１４】
次に、切った竹の上方からその地下茎に向けて節毎に芯を抜く。芯は、直径１０〜２０ｍｍで長さ５０〜１００ｍｍの鉄棒を用いて、その一端を芯に向けて突下げることにより、容易に抜くことができる。芯を抜く深さは、地下茎の直近までが好ましく、一般には、地面から１５〜３０ｃｍの深さである。地面から３節程度である。前記鉄棒の先端を適宜な形状に調節しておくことにより、人の手加減で丁度地下茎の直近まで抜くことができるようにすることができる。鉄棒の先端を余りに鋭利とすると、先端が根に突き刺り、鉄棒を抜き取り難くなるので好ましくない。また、地下茎を通り抜けて穴を明けてしまうのもいけない。除竹剤が洩れてしまうからである。竹の節は、地下茎に至るまでに順次間隔が１５ｃｍ、１０ｃｍ、５ｃｍ、３ｃｍと次第に小さくなるので、手応えで知ることができる。
【００１５】
芯抜き作業において、鉄棒に代え、通水性の棒、例えば、直径１０〜２０ｍｍのポーラス性の棒を打ち込むこともできる。このようにすれば、ポーラス性の棒を抜かずして、上方から地下茎に向けて除竹剤を送ることができる。ポーラス性の棒は、抜き取る必要が無い。ポーラス性の棒は、セラミックやポーラスコンクリート、その他ポーラス性の材料で作ることができる。
【００１６】
雨水侵入防止用のカバーは、ビニール袋やプラスチック製フィルム、その他雨水侵入防止できるものなら何でも良い。雨水侵入防止カバーを取り付けておくことにより、除竹剤が雨水で希釈されるのを防止できる。除竹剤は、可能な限り希釈されて注入されるので、これ以上希釈され効き目が薄くなるのを防止できる。ただ、本特許侵害を免れるため雨水侵入防止用のカバーを取除くことが考えられる。このようにしても、雨が長期に亘って降らなければ、又は少しの雨なら、或いは濃度の高い除竹剤を注入しておけば本発明の効果を期待することができる。従って、本発明では、このような不完全実施を含むべく、雨水侵入防止用カバーを適宜要件とする。各種天候に対応して効果を確実にするには必須要件である。
【００１７】
以上の手順を実施することにより、翌年竹の子が発生するのを略１００％抑制できる。略とするのは、４５０本の実施例にて、９９．６％であり、０．４％の割合で薬害竹の子、即ち除竹剤の影響を受けて貧弱な竹の子が発生したからである。この薬害竹の子は、その後枯れている。この限りにおいて１００％である。除竹剤の内容及び希釈度、あるいは注入量を適切に定めることにより、確実に１００％とすることができる。
【００１８】
本発明で用いる除竹剤は、液体であること、非選択性であること、浸透性があることを条件とする。選択性で葉のみを枯らす除草剤の使用は好ましくない。浸透性を持たせ、地下茎に除竹剤を送るためには、界面活性剤を適切量配合するのが好ましい。
【００１９】
注入量は、１５０〜３００ｃｃが適量である。一般には、この量の注入によって抜いた芯の内、最下段の芯の１又は２ヶ所から芯の繊維を通して地下茎に除竹剤を送ることになる。希釈は、その濃度において竹の子を発生させないために必要な量まで最大希釈するのが好ましい。原液使用は極力避けるべきである。除竹剤が毒性を有する場合毒性が強きに過ぎ、又、急で部分的な根腐れを生じ、地下茎全体に行き渡らなくなるからである。ビアラホス等毒性の低い薬剤による場合には、この限りで無い。
【００２０】
除竹剤としては、一般の除草剤として用いられているイソプロピルアミン塩やクリホサートアンキニューム塩、ビアラホス、Ｌ２アミノ４ヒドロキシメチルホスフィノイルブチリルＬアラニルＬアラニンのナリトウム塩等を主成分として用いることができる。ビアラホス以下の薬剤は毒性低く、使用に適している。また、茎系処理を行うことができる銅イオン、亜鉛イオン、カリウムイオンや、一般の移行型雑草処理剤を単独又は配合して利用することができる。
【００２１】
杉や桧等が植樹された林（植林）中の竹を永久的に処分する場合には、前記林中の親竹を地上で切り、切った竹の上方からその地下茎に向けて芯を抜き、上方から竹を枯死可能の浸透性除竹剤を注入し、切った竹の上方に雨水侵入防止用のカバーを掛け、前記地下茎に前記除竹剤を送り、前記地下茎を通じて前記林中に竹の子が発生するのを抑制する。
【００２２】
このようにすれば、林中に翌年竹の子が発生すること無く、植樹された木のみを成長させることができる。因みに、従来は竹の子がその年に１０ｍ以上に成長し、植樹に影を作り、植樹に優って竹林となっていた。また、植樹された木が１０ｍ程度に育っている場合でも、植樹された木の成長を阻止し、木の品質を低下させていた。
【００２３】
植樹された林や果樹園に隣接竹林から竹の子が生えてくるのを防止する場合には、前記竹林の直近隣接区間に生えた親竹を地上で切り、切った竹の上方からその地下茎に向けて芯を抜き、上方から竹を枯死可能の浸透性除竹剤を注入し、切った竹の上方に雨水侵入防止用のカバーを掛け、前記地下茎に前記除竹剤を送り、前記地下茎を通じて前記林や果樹園に竹の子が発生するのを抑制する。
【００２４】
直近隣接区間は１〜３ｍ程度の幅とする。隣接竹林の多くは一般には放置竹林である。この幅を地下茎がせめて来るには数年を必要とする。従って、この期間内に内側林を育てれば、以後の竹の子発生を防止できる。内側親竹を処分することにより、隣接区間での竹の子発生を防止でき、相互作用によって全体竹の子の発生を抑制することもできる。
【００２５】
【発明の実施の形態】
以下、添付図面を参照して、本発明の実施の形態を説明する。図１は、本発明方法の実施状況を示す説明図である。
【００２６】
図１において、本発明では、地面ＧＬに生えた親竹１を地上高さＨ１（１５〜２５ｃｍ）で切り、打ち抜き棒としての鉄棒２を用いて、切った竹１の上方からその地下茎３に向けて節毎の芯４ａ〜４ｆを抜き、上方から竹１を枯死可能の浸透性除竹剤５を注入し、切った竹１の上方に雨水侵入防止用のカバー６を掛け、前記地下茎３に前記除竹剤５を送り、前記地下茎３を通じて生じる竹の子７の発生を抑制する。
【００２７】
鉄棒２は、深さ５０ｃｍ位置まで参考目盛り８が付けられている。５０ｃｍ位置には、手に怪我をさせないためのストッパ２ｓが設けられている。また、上端には、ここに短い棒を差し込んで鉄棒２を回転させ、或いは不用の時に釘に引っ掛けておくためのリング９が設けられている。先端は、余り鋭利にせず、寧ろ平たく形成している。芯に突き刺り、抜け難くなるのを防止するためである。
【００２８】
親竹１の芯抜きは、鉄棒２の上端を手に持ち、下端を上方から突き降すことで行なわれる。軽く振り降すことで、芯４ａを抜くことができ、次いで４ｂ、４ｃ・・・４ｆを抜くことができる。地面ＧＬを基準としての深さＨ２の目安は、１５〜３０ｃｍである。節数の目安は３〜５である。芯、即ち節の間隔Δ１〜Δ５は、地下茎３に近づくに従って上方より１５ｃｍ、１０ｃｍ、５ｃｍ、３ｃｍと近くなるので、間隔が小さくなることを目安とすることもできる。一般には、節の間隔が小さくなると、鉄棒２に加わる力が大きくなり、如何に強く打つとも芯を抜けない状態となる。従って、鉄棒に加わる力を目安とすることもできる。
【００２９】
芯４ａ〜４ｆを抜き終ると、その上方から除竹剤５を注入する。注入量は１５０〜３００ｃｃが適切である。適切量の除竹剤５を注入すると、竹１の底部に溜り、抜いた芯の内、下方の芯の１部、例えば芯４ｅ、４ｆが除竹剤に浸るようになる。芯抜き穴が小さすぎると、エアが溜り、除竹剤が下方に流れ込まないことがある。このようにならぬ様、抜圧の直径は５ｍｍ以上とするのが好ましい。
【００３０】
液が流れ込まない場合には、細い棒やホースを用いて突き込んでも良い。これらにより、竹１の上方は切断されているので水分たる除竹剤５は、地下茎３の方に移送され、竹の子７の方に移動する。これにより、竹の子７は成長せず、竹の子自体も発生しない。
【００３１】
除竹剤５を注入し終えると、竹１の開放部分にカバー６を掛けておく。雨水の侵入を防止するためである。雨水が絶対侵入しないと思える場合、又は除竹剤の濃度が濃く、雨が降っても効き目が有る場合には省略することも可能であろう。しかし、確実な効果を期待する場合には必須である。カバー６は、ビニール袋を掛け、紐で縛った程度で十分である。ゴムカバーや、ゴム紐を１体化した袋等とすることもできる。
【００３２】
除竹剤５の実施例を示すと、イソプロピルアミン塩やクリホサートアンキニューム塩を主体とする除草剤を例えば水で２０倍に希釈し、これに適量の界面活性剤を加えて構成することができる。本例の除竹剤は、一般の除草剤にもよく用いられている薬剤であるが、毒性が有ることには注意を要する。
【００３３】
除竹剤５を入れる容器１０は、把手１１及びコック１２の付いたものを使用し、「除竹剤」のラベル１３を取付けたものを使用するのが望ましい。一般の除草剤と同程度の毒物であるので、十分注意して利用させる必要が有る。また、例えば１００本の竹を処理するのに１５〜３０リットル（原液は０．５〜１．０リットル）と相当量が必要となるので、間に合わせの容器を使わせず、特に準備したものを利用させることが望ましい。容器１０を背追い式として、ホースを介して薬を注入できるようにするのも良い。
【００３４】
以上の手順により、１９９８年の９月より愛媛県の発明者所在地にて孟宗竹、淡竹、真竹各１５０本について実験を行なった結果を表１に示す。
【００３５】
【表１】
2004033158.tif 000003
表１に示すように、孟宗竹、淡竹、真竹いずれにおいても略１００％、翌年以降の竹の子の発生を抑制できた。薬害を受けながら僅かに発生した１〜２本の竹の子も、成長が悪く、結局枯死した。実験中の竹の根を掘り観察すると、地下茎は黒ずみ、腐敗していた。一方、竹以外の草木については何ら影響が見られず竹のみを処分するのに最も最適な処分方法であることが確認できた。処理地の植林（杉）は、実も付けず以後順調に成長している。杉が実を付けないのは、木が老木たることを覚えず、若さを保っているからである。杉花粉を発生せず好都合である。
【００３６】
前述のように、ビアラホス等を用いて構成した除竹剤は毒性少なく人畜無害とすることができる。従って、本発明の実際実施では、この種の除竹剤を構成し、使用に供する予定である。
【００３７】
図２は、杉又は桧等の樹木１４を植樹した林１５に大きな黒丸で示す親竹１が生えて来た場合の処分方式を示す平面説明図である。竹の子７を小さな黒丸で示す。本発明では、林１５の親竹１を地上で切り、図１で示したと同様の処置を施す。
【００３８】
従って、本発明では、親竹１の地下茎３を介して生えて来る竹の子７の発生を抑制でき、林１５中の竹を確実に永久的に処分できる。また、近隣土地に竹の子が発生せず、他人の土地に迷惑をかけることも無い。
【００３９】
図３は、果樹１６を植えた果樹園や畑等の土地１７に、隣接する他人の放置竹林１８から親竹１の地下茎３が伸び、土地１７内に竹の子７が発生するのを防止する場合の平面説明図である。本例では、土地１７の直近隣接区間１８ａを幅Ｄｍで定め、この区間１８ａに生えている親竹１を図１で示したと同様手順で処置する。
【００４０】
直近隣接区間１８ａは１ｍ以上の幅Ｄで３ｍ程度に設定する。処置した親竹１の地下茎３には竹の子７が発生せず、区間外の竹の子発生量も少なくなるが、翌年以降外側から竹の子が順次攻めて来る。従って、幅Ｄを３ｍ程度保っていれば竹の子７が攻め入るのに３〜５年を要する。即ち、土地１７に竹の子７が生えるのを数年防止できる。幅Ｄは大きい程良いが、広きに過ぎると親竹１の処分の手間が大変である。
【００４１】
本発明は、他の土地への迷惑を考え、個々の所有する竹林を駆除業者に依頼して除竹する場合にも適用できる。従来であれば、除竹した竹林について翌年竹の子が発生するので、除竹作業を数年続けて実施しなければならない。１年後には、大薮となっているので、毎年大変である。これに対し、本発明では、１回の除竹作業、即ち竹を切り本発明の除竹剤を用いての処置を行うのみで、以後の作業を必要とせず、容易、安価で確実な除竹作業を実施できる。
【００４２】
本発明は、上記実施の形態に限定されるものではなく、本発明の要旨を逸脱しない範囲で適宜設計的変更を加えることができ、各種態様で実施できる。
【００４３】
【発明の効果】
以上の通り、本発明は、親竹を切り、芯を抜いてその上から除竹剤を注入し、切断竹には適宜カバーを掛けて雨水の侵入を防止し、地下茎に除竹剤を移送することにより、竹の子の発生を抑制するようにした竹又は竹林の処分方法であるので、竹の子の発生を略１００％抑制でき、省力作業にて不用な竹又は竹林を処分でき、必要な植物の育成を図ることができる。
【００４４】
また、本発明の除竹剤は、イソプロピルアミン塩やビアラホス等非選択性除草剤に界面活性剤を加え、適切濃度に水で希釈し専用の除竹剤を配合して使用するので、これを竹の地下茎に移送し、竹の子の発生を略１００％抑制できる。
【００４５】
植樹された林中の竹を処分する場合には、１度の処置にて完全処分することができ、回りの土地に竹の子を発生させることも無い。
【００４６】
回りを放置竹林に囲まれた土地では、回りの放置竹林の隣接区隔の親竹を１回処置することにより、以後数年の間、竹の子が攻めてくるのを防止できる。
【図面の簡単な説明】
【図１】本発明の竹又は竹林の処分方法における親竹の処置方式を示す説明図である。親竹部分は断面図で、その他の部分は側面図で示す。
【図２】本発明の実施例に係り、植樹された林中に生えた竹の処分方法を示す平面説明図である。
【図３】本発明の他の実施例に係り、放置竹林に囲まれた土地に竹の子が発生するのを防止する方法を示す平面説明図である。
【符号の説明】
１　親竹
２　鉄棒（芯打ち抜き棒）
３　地下茎
４ａ〜４ｂ　芯
５　除竹剤
６　カバー
７　竹の子
８　目盛
９　リング
１０　容器
１１　把手
１２　コック
１３　ラベル
１４　樹木
１５　林
１６　果樹
１７　土地
１８　放置竹林
１８ａ　直近隣接区間
【図１】
2004033158.tif 000004
【図２】
2004033158.tif 000005
【図３】
2004033158.tif 000006